(57)【特許請求の範囲】
【請求項１】
トレーと、該トレーに対して重ねられる折畳み態様と立ち上がる起立態様とに切り換えられる保持手段とを備え、前記保持手段が前記起立態様で容器類の周囲部を支持可能となるカップホルダーにおいて、
前記トレーに対して回動可能に組み付けられた回転体を有し、前記トレーと前記回転体とを相対的に回動させることにより前記保持手段を前記折畳み態様と前記起立態様とに切り換えるとともに、
前記保持手段は、前記回転体に枢支された一方脚部材と、前記トレーに枢支された他方脚部材と、前記両脚部材を連結している支持片とから構成されて、前記回転体の回動により前記脚部材同士の間隔を狭めて前記折畳み態様から前記起立態様に切り換えられることを特徴とするカップホルダー。
【請求項２】
前記トレーを出し入れする収納部と、前記収納部に対する前記トレーの出し入れと連動して前記回転体を回動する回転機構とを有している請求項１に記載のカップホルダー。
【請求項３】
前記保持手段が前記回転体の周りに２つ以上設けられている請求項１又は２に記載のカップホルダー。
【請求項４】
前記起立態様で前記各保持手段にて区画されて容器類の周囲部を支持するホールド径が前記回転体の回動量に応じて可変される請求項３に記載のカップホルダー。
【発明の詳細な説明】
【技術分野】
【０００１】
本発明は、カップホルダーのうち、特にトレーから立ち上がった起立態様で容器類の周囲部を支持する保持手段を有したカップホルダーに関する。
【背景技術】
【０００２】
従来のカップホルダーには、特許文献１に開示されているように、トレー（受け皿）と、該トレーに対して折畳み態様と立ち上がる起立態様に切り換えられる保持手段（可動部材）とを備え、保持手段が起立態様で容器類の周囲部を拘束したり支持する構造がある。また、この構造では、トレー及び保持手段を格納せずに露出しておくことも可能であるが、車室壁やコンソール等に設けられる収納部（収納箱）に対して押し入れたり引き出して使用する、いわゆる格納式となっている。
【０００３】
【特許文献１】実開平３−２８０３１号公報（第１図〜第２２図）
【発明の開示】
【発明が解決しようとする課題】
【０００４】
上記特許文献１の構造では、保持手段が付勢力で立ち上げ方向へ付勢されたリンクを介して折畳み態様から起立態様に切り換えられ、逆に起立態様から付勢力に抗して押し下げられるとリンクを介して折畳み態様に切り換えられることから、例えば付勢力を大きく設定すると、折畳み態様にする際の押し下げ力も大きくなり切換操作性が悪くなる。また、格納操作では、保持手段を押し下げて折畳み態様とした後、トレーを押して収納部内に入れる、つまり２段階の動作を行わなくてはならず使い勝手が悪かった（特許文献１の第１図〜第７図）。なお、特許文献１中、第８図〜第１６図の構造では、トレーが収納部内へ押し入れる過程で、保持手段が起立態様から収納部の開口縁部に当接して下向きの応力を受けることで折畳み態様に切り換えられるが、保持手段が収納部の開口縁部に当たるため損傷し易く良好な格納操作を維持し難くなる。しかも、従来の保持手段は、容器類を挿入して支持する開口部を有しているが、該開口部のホールド径が容器類の径に応じて微調整されないため、対象の容器類が標準外径からずれると保持特性も悪くなる。
【０００５】
本発明の目的は、以上のような問題を解消して、切換操作性や使い勝手をより良好にすることにある。他の目的は容器類の径に応じてホールド径を微調整可能にして保持特性を向上することにある。
【課題を解決するための手段】
【０００６】
上記目的を達成するため本発明は、トレーと、該トレーに対して重ねられる折畳み態様と立ち上がる起立態様とに切り換えられる保持手段とを備え、前記保持手段が前記起立態様で容器類の周囲部を支持可能となるカップホルダーにおいて、前記トレーに対して回動可能に組み付けられた回転体を有し、前記トレーと前記回転体とを相対的に回動させることにより前記保持手段を前記折畳み態様と前記起立態様とに切り換えるとともに、前記保持手段は、前記回転体に枢支された一方脚部材と、前記トレーに枢支された他方脚部材と、前記両脚部材を連結している支持片とから構成されて、前記回転体の回動により前記脚部材同士の間隔を狭めて前記折畳み態様から前記起立態様に切り換えられることを特徴としている。ここで、以上の本発明において、トレーはパネルやリッド等を含む意味で使用し、容器類は缶、カップ、ペットボトル及び外観的にそれらに類似するものも含む広義な意味で使用している。
【０００７】
以上の本発明は次のように具体化されることがより好ましい。
（１）前記トレーを出し入れする収納部と、前記収納部に対する前記トレーの出し入れと連動して前記回転体を回動する回転機構とを有している構成である（請求項２）。
（２）前記保持手段が前記回転体の周りに２つ以上設けられている構成である（請求項３）。
（３）前記起立態様で前記各保持手段にて区画されて容器類の周囲部を支持するホールド径が前記回転体の回動量（又は回転角）に応じて可変される構成である（請求項３）。
【発明の効果】
【０００８】
請求項１の発明では、トレーと回転体とを相対的に回動、つまり通常は回転体をトレーに対して回動させることにより、保持手段が起立態様から折畳み態様、折畳み態様から起立態様にそれぞれ切り換えられる。このため、この構造では、特許文献１の構造に比べて切換操作性をより簡素化したり良好にし易く、それにより使い勝手を向上できる。また、保持手段が２つの脚部材と両脚部材を連結している支持片とから構成され、回転体の回動により脚部材同士の間隔を狭めて折畳み態様から起立態様に切り換えられる。このため、この保持手段は簡易であり、故障の起きにくい簡明な切換作動を実現できる。
【０００９】
請求項２の発明では、収納部に対するトレーの引き出しと連動して、回転体が回転機構を介して一方向へ回動して保持手段が折畳み態様から起立態様に切り換えられ、逆に、収納部に対するトレーの押し入れと連動して、回転体が回転機構を介して他方向へ回動して保持手段が起立態様から折畳み態様に切り換えられる。このため、この構造では、切換操作性及び使い勝手をより向上できる。
【００１０】
請求項３の発明では、保持手段が回転体の周りに複数設けられているため、容器類の周囲部をより確実に支持可能となる。
【００１１】
この場合、請求項４の発明では、各保持手段で区画されるホールド径が回転体の回動量（又は回転角）に応じて大きくなったり小さくなる。このため、この構造では、径の異なる容器類であっても、各保持手段で区画されるホールド径を対象容器類の径に応じて可変することで、常に安定した状態に支持できる。
【発明を実施するための最良の形態】
【００１２】
以下、本発明の形態例について図面を参考しながら説明する。図１と図２はカップホルダーの全体を示し、図３〜図７はカップホルダーの要部構造を示し、図８及び図９は要部作動を示している。以下の説明では、構造及び部材同士の関係を明らかにした後、要部作動に言及する。
【００１３】
（構造）形態例のカップホルダーは、収納部であるケース１と、ケース１に出し入れされるトレー２と、トレー２に対して重ねられる折畳み態様と立ち上がる起立態様とに切り換えられて容器類の周囲部を支持したり拘束する保持手段３と、トレー２に対して回動可能に組み付けられた回転体４と、ケース１に対するトレー２の出し入れと連動して回転体４を回動する回転機構５とを有し、保持手段３がトレー２と回転体４とを相対的に回動（通常は回転体４を回動）させることにより折畳み態様と起立態様とに切り換えられる構造である。なお、カップホルダーとしては、ケース１及び回転機構５を省いて簡略化することも可能であり、その場合、例えば回転体４を他の回転機構又は手動で回動して保持手段３を折畳み態様と起立態様とに切り換えるようにする。
【００１４】
前記ケース１、トレー２、保持手段３を構成している脚部材３０，３１及び支持片３４、回転体４、回転機構５を構成しているレバー５は樹脂成形品であるが、材質は樹脂以外でもよい。このうち、ケース１は、図１及び図２に示されるように、上半体１０と下半体１１とを上下に重ねると共に不図示のねじ等で一体化したもので、全体が偏平の矩形容器状をなし、一端側の開口部１２からトレー２を出し入れする。ケース１内には、下半体１１の上面側に設けられて、左右の間に位置して前後に延びているガイド溝１３と、左右の内側面にそれぞれ突出されている突起部１４，１４と、左右の少し内側に対向した状態で前後にそれぞれ延びている当接部１５，１５とを有している。ガイド溝１３は、前側から開口部１２の少し手前までが直線溝１３ａに形成され、そこから開口部１２付近までが幅方向の一方から他方というように傾斜した傾斜部１３ｂに形成されている。
【００１５】
符号１６は、上半体１０の一端側、つまり開口部１２を区画している一端側に設けられて上に一段高くなった張出部である。下半体１１の一端側（開口部１２の側）は、左右の中間部が不図示の凹状欠如部に形成されている。これは、トレー２がケース１に押し入れた格納状態から、手や指を前記凹状欠如部からトレー２の対応部（後述する縁取り用突出壁部２２の対応部）に引っ掛けて引き操作可能にするためである。なお、以上のケース１は、例えば、自動車のインストルメントパネルやコンソールボックス等に装着されるものであるが、カップホルダー用の装着部（インストルメントパネルやコンソールボックス等）に対してケース１に対応した空間を有する収納部を直に形成する構成であってもよい。
【００１６】
トレー２は、図１〜図５に示されるように、ケース１に対応した矩形板状をなし、上面が前部２０に比べて後部２１を一段高く形成し、下面が両側及び前部２０の端側に突出された突出壁部２２で縁取りされており、両側面にそれぞれ設けられてケース側の対応する突起部１４と摺動自在に嵌合するガイド溝２３を有している。また、前部２０には、端部上に沿って突出されてケース側の張出部１６内に収まる突出部２４と、突出部２４と後部２１との間に上下貫通されている円状の開口部２５と、開口部２５の上面側周囲に突出されている複数（この例では３つ）の連結部２６と、開口部２５の下面側周囲に突出されている複数（この例では３つ）の案内用突起部２７とが設けられている。各連結部２６及び各突起部２７は開口部２５の略中心を通る仮想線上に設けられている。各連結部２６は、図５（ｂ）のごとく貫通孔２６ａを形成していると共に、外周側が一段低い段差となっている。各突起部２７は開口部２５から凹設された穴部２７ａを有し、該穴部２７ａに弾性材６が配置される。この弾性材６は、コイル形ばねを使用しているが、ラバー等の弾性体やそれに類似するものでも差し支えない。
【００１７】
後部２１には、下面に設けられて所定間隔を保っている対の突片部２８が設けられている。各突片部２８には、図示を省いたが、外側面に設けられた横溝に対し板ばね１７が組み付けられている。板ばね１７は、略Ω状の弾接部を有し、トレー２がケース１に対し突起部１４とガイド溝２３との嵌合を介して配置されたとき、前記弾接部を対応する当接部１５に接することにより、ケース１に対するトレー２のがたつきを吸収可能にする。更に、下面にあって前部２０と後部２１との間には枢支部２９が設けられている。
【００１８】
以上のトレー２には、回転体４と、保持手段３と、回転機構５を構成しているレバー５０とが組み付けられる。このうち、回転体４は、図３と図６に示されるように、開口部２５に嵌合する凹状受け部４０と、受け部４０の上端周囲に突出したフランジ部４１及び周囲等分する箇所に片状に突出した複数（この例では３つ）の突片部４２と、各突片部４２の上面に突出された連結部４３と、受け部４０の外周囲に設けられた周回溝４４と、受け部４０の底外面に設けられたギア部４５とを一体に有している。各突片部４２は、フランジ部４１より外方へ大きく突出していると共に、同方向の端側に突設した連結部４３を有している。ギア部４５は、平歯車であり、連続した歯４６と共に、基準位置の歯を欠如した幅広の谷部４７を有している。
【００１９】
以上の回転体４は、受け部４０がトレー２の開口部２５に嵌入されると、上記した各突起部側穴部２７ａに配置された弾性材６が３方向から周回溝４４に弾接することで、弾性材６を介して開口部２５から抜け止めされる。また、回転体４は、弾性材６のセンタリング作用により開口部２５に対するがたつきが吸収されて、その回動特性が良好に維持される。
【００２０】
回転機構５は、ケース１に対するトレー２の出し入れと連動して回転体４を回動する機構であればよい。この例では、回転体側のギア部４５と、該ギア部４５と噛み合う連続した歯５１を有したレバー５０と、該レバー５０に設けられた凸部５３と、上記ケース側のガイド溝１３とからなる。レバー５０は、歯５１を一端側周囲に形成し、一端と他端との間に設けられた不図示の支持部と、他端側の下面に突設されてガイド溝１３に嵌合する凸部５３とを有している。また、レバー５０は、一端側の上面が薄肉ないしは段差になっており、該段差によって前記突起部２７を逃げるようになっている。歯５１は、ギア部４５と噛み合うと共に、ギア部４５側の幅広の谷部４７と噛み合う幅広の歯５２を有している。
【００２１】
以上のレバー５０は、上記した支持部がトレー側枢支部２９に対してワッシャ１８及びねじ１９等を介して揺動可能に支持される。この支持状態では、歯５１がギア部４５の歯４６と噛み合っている。そして、この形態において、トレー２は、ケース１に対して突起部１４にガイド溝２３を嵌合し、かつ、ガイド溝１３に凸部５３を嵌合した状態でケース内に押し入れられる。すると、レバー５０は、図１から推察されるように、トレー２がケース１内へ押し入れられる過程において、凸部５３が傾斜溝１３ｂから直線溝１３ａに移動されることによって、上記支持部（又はねじ１９）を支点として時計回りへ揺動され、その結果、レバー側歯５１とギア部４５の噛み合いを介して回転体４を逆時計回りへ回動する。また、レバー５０は、トレー２がケース１内に押し入れられた格納状態から引き出される過程において、上記支持部（又はねじ１９）を支点として逆時計回りへ揺動され、その結果、レバー側歯５１とギア部４５の噛み合いを介して回転体４を時計回りへ回動する。勿論、以上の回転機構５としては、例えば、揺動式のレバー５０に代えてギア部４５と噛み合うラック方式により回転体４を回動するようにしてもよい。なお、以上のトレー１は、ケース１内に押し入れられた格納状態から最大まで引き出したときに、ケース１内から外れないようストッパー等にて処理される。
【００２２】
一方、保持手段３は複数（この例では３つ）が使用される。各保持手段３は、図３及び図４に示されるように、回転体４側に枢支される一方脚部材３０と、トレー側に枢支される他方脚部材３１と、両脚部材３０，３１を折曲自在に連結している支持片３４と、付勢ばね９とから構成される組立体である。ここで、各脚部材３０，３１は、同程度の長さに設定されており、基端側に取付部３２，３３を形成している点、先端（起立態様で上端）に凸形の接続部３２ａ，３３ａを形成している点、上面（折畳み態様で上になる面）の先端側に窪み形状の段差部３０ａ，３１ａを形成している点、下面（折畳み態様で下になる面）の先端側に線材用配置溝３０ｂ，３１ｂを形成している点で同じ。取付部３２は、両側部分が（折畳み態様で）段差部３０ａ，３１ａに略面一に重ねられるよう薄板状に形成され、下面の中間部に設けられて脚部材側の接続部３２ａ又は３３ａと連結する対の凹形接続部３５，３５、及び線材用配置溝３４ｂなどを有している。
【００２３】
以上の各脚部材３０，３１は、凸形接続部３２ａ，３３ａを対応する凹形接続部３５に嵌合した状態から、ピン８が幅方向に接続部３５（の凹形の一方片側）に設けられた挿通孔、接続部３２ａ又は３３ａに設けられた挿通孔、接続部３５（の凹形の他方片側）に設けられた挿通孔に差し込まれた状態で支持片３４に対しそれぞれ折曲自在に連結される。その際には、付勢ばね９が各ピン８に軸挿された状態で脚部材３０と支持片３４との間、脚部材３１と支持片の３４との間に配置され、それにより各脚部材３０，３１が起立態様から折畳み態様に切り換えられたるときに、支持片３４を付勢ばね９の付勢力により脚部材３０，３１と面一に重ねられるようにする。
【００２４】
すなわち、付勢ばね９はトーションばねであり、両端部９ａが脚部材３０の配置溝３０ｂと脚部材３１の配置溝３１ｂとに嵌合される線材部に設定され、その間の中間部分９ｂがそれぞれピン軸挿用巻線部９ｃ，９ｃを介在して支持片３４の配置溝３４ｂに嵌合される線材部に設定されている。但し、付勢ばね９は中間部分９ｂで切断して２つにしてもよい。何れの構造でも、脚部材３０の凸形接続部３２ａと支持片３４の対応する凹形接続部３５とをピン８にて枢支したり、脚部材３１の凸形接続部３３ａと支持片３４の対応凹形接続部３５とをピン８にて枢支するとき、各ピン８を対応する巻線部９ｃに挿通することで付勢ばね９を支持し、かつ、該支持状態で巻線部９ｃの両側にある線材部を上記配置溝３０ｂ又は３１ｂと、配置溝３４ｂとに嵌合させる。
【００２５】
（作動）以上のカップホルダーにおいて、各保持手段３は、脚部材３０（の接続部３２）が回転体側連結部４３にピン７を介して枢支され、脚部材３１（の接続部３３）がトレー側連結部２６にピン７を介してそれぞれ枢支される。換言すると、各保持手段３は、回転体４とトレー２とに対応するピン７等を介して連繋状態に取り付けられることで、図７（ａ）の折畳み態様から回転体４の回動により脚部材３０，３１同士の間隔を狭めて図７（ｂ）の起立態様に切り換えられ、また、前記起立態様から回転体４の逆方向への回動により脚部材３０，３１同士の間隔を拡げながら図７（ａ）の折畳み態様に切り換えられる。勿論、回転体４は、段落００２１に記載したように回転機構５を介してトレー２の出し入れと連動して回動される。次に、このカップホルダーにおいて、特に要部作動を図１と図２及び図８と図９などを参照しながら詳述する。  
【００２６】
（１）図１及び図２の各（ａ）のごとくトレー２の格納状態において、レバー５０は、直線溝１３ａに嵌合している凸部５３を介して基準位置（この例では図６（ｃ）のごとく上記した回転体側ギア部４５の幅広の谷部４７とレバー側歯５１のうち幅広の歯５２とが噛み合っている）に回動されている。回転体４は、該レバー５０を介して回動規制つまり回動不能に保持されている。複数の保持手段３は、図８及び図９の各（ａ）に示されるように、脚部材３０と脚部材３１とが上記した枢支用ピン７を介してトレー２上に水平に倒れ、かつ支持片３４がその転倒された各脚部材３０，３１に密接した状態となっている。この状態では、上記した付勢ばね９の存在により、例えば、外部から振動が加わっても支持片３４などが不用意に揺動されない。
【００２７】
（２）トレー２は、ケース側突起部１４に対するガイド溝２３の案内作用、及びケース側当接部１５に対する板ばね１７の弾接作用を伴って以上の格納状態から引き操作される。この引出過程において、レバー５０は、凸部５３が直線溝１３ａから傾斜部１３ｂに沿って移動するとき、図１（ｂ）のごとく上記支持部（又はねじ１９）を支点として逆時計回りへ揺動される。回転体４は、該レバー５０の揺動に連動し、歯５１と歯４６との噛み合いを介して時計回りに回動される。この回動は、トレー２上の保持手段３がケース１内から露出した後に行われるよう設定されている。複数の保持手段３は、回転体４が時計回りに回動されると、回転体側連結部４３に枢支されている脚部材３０がトレー側連結部２６に枢支されている脚部材３１に対して近づきながら、両脚部材３０，３１が上記各ピン７（基端側取付部３２，３３）を支点として立ち上げられ、かつ支持片３４が両脚部材３０，３１の立ち上がりにより上方へ持ち上げられる。その際、両脚部材３０，３１は付勢ばね９の付勢力に抗して立ち上げられる。
【００２８】
（３）図８及び図９の各（ｂ）は、トレー２がある程度引き出されて、回転体４が各（ａ）の基準位置から回転角ａ1だけ回動されると共に、各保持手段３が両脚部材３０，３１及び支持片３４を途中まで立ち上げた態様（以下、起立途中態様という）にある。これに対し、図８及び図９の各（ｃ）は、トレー２が更に最大まで引き出されて、回転体４が各（ａ）の基準位置から回転角ａ1より大きい回転角ａ2まで回動されると共に、各保持手段３が両脚部材３０，３１同士を最も近づけ支持片３４を最も高い位置まで立ち上げた最終の起立態様（これを単に起立態様という）にある。そして、以上の保持手段３の構造では、各保持手段３の支持片３４同士で区画されるホールド径（容器類Ｃの周囲部を拘束したり支持する径をいう）が起立途中態様から起立態様に行く従って次第に小さくなる。換言すると、前記ホールド径は、トレー２の引出量或いは回転体４の回動量に応じて可変されるため、対象の容器類（の径）に応じてトレー２の引出量或いは回転体４の回動量を変えることで、径の異なる容器類でも常に安定した状態で拘束したり支持できる。
【００２９】
なお、以上の形態例は本発明を何ら制約するものではない。本発明を構成しているトレー２及び保持手段３並びに回転体４などは請求項１で特定される要件を備えておればよく、細部は必要に応じて種々変更可能なものである。その一例としては、特開２００６−４４４３９号公報などに開示されているように、トレー２が付勢手段の付勢に抗してケース１内に押し込められると、プッシュ・プッシュ係止機構により格納状態で係止され、また、トレー２が再び押されると、プッシュ・プッシュ係止機構の係止を解除して、付勢手段の付勢力により突出方向へ引き出されるようにすることである。
【図面の簡単な説明】
【００３０】
【図１】形態例のカップホルダーを示す上面図で、（ａ）は格納状態、（ｂ）は最大に引き出した引出状態である。
【図２】図１のカップホルダーを示す側面図で、（ａ）は格納状態、（ｂ）は最大に引き出した引出状態である。
【図３】上記カップホルダーの要部を分解して示す概略構成図である。
【図４】（ａ）は図３の保持手段を分解した概略構成図、（ｂ）は図３の保持手段を裏面側から見た拡大構成図である。
【図５】上記カップホルダーを構成しているトレー単品を示し、（ａ）は上面図、（ｂ）は側面図、（ｃ）は下面図である。
【図６】図４のトレーに回転体及び回転機構を構成している部材を組み付けた状態を示し、（ａ）は上面図、（ｂ）は側面図、（ｃ）は下面図である。
【図７】図５から保持手段を組み付けた状態を示し、（ａ）は保持手段の折畳み態様での上面図、（ｂ）は保持手段の起立態様での上面図である。
【図８】上記保持手段の作動を示し、（ａ）は折畳み態様での外観図、（ｂ）は起立途中態様での外観図、（ｃ）は起立態様での外観図である。
【図９】上記保持手段（１つだけ図示した）の作動を示し、（ａ）は折畳み態様での上面図、（ｂ）は起立途中態様での上面図、（ｃ）は起立態様での上面図である。
【符号の説明】
【００３１】
１…ケース（１０と１１は上下半体、１４はガイド用突起部、１５は当接部）
２…トレー（２０と２１は前後部、２３はガイド溝、２５は開口部、２６は連結部）
３…保持手段（３０と３１は脚部材、３４は支持片）
４…回転体（４０は凹部、４１はフランジ部、４２は突片部、４３は連結部）
５…回転機構
７，８…ピン
９…付勢ばね
１３…ガイド溝（１３ａは直線溝、１３ｂは傾斜溝）
４５…ギア部（回転機構５を構成し、４６は連続した歯）
５０…レバー（回転機構５を構成し、５１は連続した歯、５３は凸部）
Ｃ…容器類
【図１】
0004969331.tif 000002
【図２】
0004969331.tif 000003
【図３】
0004969331.tif 000004
【図４】
0004969331.tif 000005
【図５】
0004969331.tif 000006
【図６】
0004969331.tif 000007
【図７】
0004969331.tif 000008
【図８】
0004969331.tif 000009
【図９】
0004969331.tif 000010